(57)【要約】【課題】水切れが良く、ごみや水垢等の付着を効果的に防止することができ、手入れの容易な墓石を提供する。【解決手段】台石の上に搭石を積み上げてなる墓石の構造において、台石である地敷石１０、スラブ４０、下台５０、上台６０の各上面と各壁面との間の角部に、全周にわたり、曲率半径を６ｍｍ〜３３ｍｍとする丸み１４、４１、５１、６１を付ける。また、腰板３０の両側部腰板３１および後部腰板３２の各外壁面を、それぞれの両脇に位置する腰柱２０、２０の外壁面２０ａの湾曲面とほぼ面一となるように湾曲形成する。【選択図】図１
0003108741.tif 000002
【実用新案登録請求の範囲】
【請求項１】
１個または複数個の台石の上に搭石を積み上げてなる墓石の構造において、少なくとも1個の台石の上面と壁面との間の角部に、全周にわたり、丸みが付けられていることを特徴とする墓石の構造。
【請求項２】
前記台石として、下から順に地敷石、スラブ石、下台石および上台石を含み、各台石の上面と壁面との間の角部のそれぞれに、全周にわたり、丸みが付けられていることを特徴とする請求項１の墓石の構造。
【請求項３】
前記角部に付けられた丸みの曲率半径が６ｍｍ〜３３ｍｍであることを特徴とする請求項１または請求項２の墓石の構造。
【請求項４】
前記台石のうち、最下段に位置する地敷石の上面前方の中央部に、前壁面との間に付けられた丸みへ向けて下り勾配となる斜面が形成されていることを特徴とする請求項１から請求項３の墓石の構造。
【請求項５】
前記台石として、下から順に地敷石、スラブ石、下台石および上台石を含み、各台石の上面のそれぞれに、壁面との間の丸みへ向けて下り勾配となる斜面が形成されていることを特徴とする請求項１から請求項４の墓石の構造。
【請求項６】
前記台石としての地敷石とスラブ石との間においてその四隅に腰柱が配置されるとともに、この腰柱の間に納骨室の側壁となる腰板が配置され、この腰板の外壁面が、その両脇に位置する腰柱の外壁面の湾曲面とほぼ面一となるように湾曲形成されていることを特徴とする請求項１から請求項５の墓石の構造。
【請求項７】
前記腰板の外壁面における湾曲面の曲率半径が１８０ｍｍ〜６６０ｍｍである請求項６の墓石の構造。
【請求項８】
前記台石としての地敷石の上面に、前方から内部の納骨室へ出入りするための開閉可能な石扉とその前部に位置する着脱式のストッパーとが石扉上部押さえとの間に設けられ、それら石扉およびストッパーを取り付けるための取付孔が前記地敷石および前記石扉上部押さえにそれぞれ設けられ、前記地敷石に設けられた各取付孔には上下に貫通する水抜き孔が設けられていることを特徴とする請求項１から請求項７の墓石の構造。
【考案の詳細な説明】
【技術分野】
【０００１】
本考案は、水切れが良く、ごみや水垢等の付着を効果的に防止することのできる墓石の構造に関する。
【背景技術】
【０００２】
墓参りに行くと墓石に散水するが、これが墓石に水垢がつく原因となる。また、長年の雨水に晒され、墓石表面にはごみやちり、水垢等が付着する。このため、墓石の手入れが欠かせないが、手入れは墓参りに合わせて行うことが多い。また、遠方に住む人のため専門業者が参拝者に代わって墓石の清掃を代行する場合もある。
【０００３】
しかし、従来の墓石は、台石の上面と各側壁面との間の角の水切れが悪く、手入れをするといっても、その間にごみや水垢が付着し、これを除去するのに非常に手間や費用がかかるといった問題があった。
【０００４】
水切れについて言うと、雨水等のほとんどは台石の上面から側壁面へ流れ落ちるが、流れ落ちようとする水の力が弱まると、水が角を越えて流れるだけの力がなく、わずかばかりの水が角の手前でとどまってしまう結果、その付近に水垢等がついてしまうと考えられる。また、これには水の表面張力の作用も関係すると考えられる。
【０００５】
また、腰柱間の腰板は通常その下の地敷石上面に対し垂直面をなして腰柱間に凹部を形成する結果、凹部の隅部にゴミが溜まりやすい。
【考案の開示】
【考案が解決しようとする課題】
【０００６】
従来の墓石の構造として、墓石の台石と墓標との上下方向の隅角部に面取り加工を施して、頭面、座面および稜面を形成するものが知られている（特許文献１参照）。しかしながら、単に隅角部を切り落とすだけでは、切り落として出来た面（頭面）と上面、側壁面との間の稜が、水の円滑な流れを妨げ、依然として水切れが悪い問題は残る。
【０００７】
【特許文献１】特開平６−２６４６４９号公報
【０００８】
本考案は、このような従来の墓石が有していた問題を解決しようとするものであり、水切れが良く、ごみや水垢等の付着を効果的に防止し、手入れの容易な墓石を実現することを目的とする。
【課題を解決するための手段】
【０００９】
本考案の、請求項１に係る墓石の構造は、一個又は複数個の台石の上に搭石を積み上げてなる墓石の構造において、少なくとも1個の台石の上面と壁面との間の角部に、全周にわたり、丸みを付ける構造とした。ここで、壁面は、台石を立体的に構成する面のうち、上下面を除く他の面を指し、上下面を除く前後左右の壁面のすべてを含む。
【００１０】
本考案の墓石の構造によると、台石の上面と壁面との間の角部に、全周にわたり、丸みを付けたから、散水後や降雨後、台石の上面に当たる水は、自身の表面張力にかかわらず、上面から円滑にことごとく壁面へ流れ落ちる。その結果、水切れが良く、水垢等が角部付近に付くことが効果的に防止される。
【００１１】
請求項２に係る墓石の構造は、前記台石として、下から順に地敷石、スラブ石、下台石および上台石を含み、各台石の上面と壁面との間の角部のそれぞれに、全周にわたり、丸みを付けたものである。これにより、各台石のそれぞれの上面に当たる水が、ことごとく壁面へ流れ落ちるから、各台石に水垢等が付くことが効果的に防止される。
【００１２】
請求項３に係る墓石の構造は、これらの場合の角部に付けた丸みの曲率半径を６ｍｍ〜３３ｍｍとしたものである。この範囲内でより一層スムーズに水が壁面側へ流れ落ちる。
【００１３】
請求項４に係る墓石の構造は、前記台石のうち、最下段に位置する地敷石の上面前方の中央部に、前壁面との間に付けられた丸みへ向けて下り勾配となる斜面を形成したものである。これにより地敷石の上面前方の水切れを一層良くする。
【００１４】
請求項５に係る墓石の構造は、前記台石として、下から順に地敷石、スラブ石、下台石および上台石を含み、各台石の上面のそれぞれに、壁面との間の丸みへ向けて下り勾配となる斜面を形成したものである。これにより、各台石の上面における水切れを一層良くし、墓石全体として水切れを良くし、水垢等の付着を防止することができる。なお、前記した斜面の下り勾配は１度〜１０度であることが望ましい。
【００１５】
請求項６に係る墓石の構造は、前記台石としての地敷石とスラブ石との間においてその四隅に腰柱を配置するとともに、この腰柱の間に納骨室の側壁となる腰板を配置し、この腰板の外壁面を、その両脇に位置する腰柱の外壁面の湾曲面とほぼ面一となるように湾曲形成したものである。これにより、従来のような腰柱間の腰板前方の凹部の存在がなくなる結果、腰板と腰柱間の隅部や腰板と地敷石間の隅部にゴミ等が付着したり堆積したりすることを防止することができる。この場合、請求項７の如く腰板の外壁面における湾曲面の曲率半径は１８０ｍｍ〜６６０ｍｍとする。
【００１６】
請求項８に係る墓石の構造は、前記台石としての地敷石の上面に、前方から内部の納骨室へ出入りするための開閉可能な石扉とその前部に位置する着脱式のストッパーとを、石扉上部押さえとの間に設け、それら石扉およびストッパーを取り付けるための取付孔を前記地敷石および前記石扉上部押さえにそれぞれ設け、前記地敷石に設けた各取付孔には上下に貫通する水抜き孔を設けたものである。これにより、地敷石に設けた各取付孔から水抜き孔を通して水抜きすることにより、当該箇所の水垢等の付着を防止することができる。
【考案の効果】
【００１７】
本考案の墓石の構造によると、少なくとも1個の台石の上面と壁面との間の角部に、全周にわたり、丸みを付ける構造としたから、散水後や降雨後の水切れが良く、台石の上面に水垢等が付くことを効果的に防止することができる。これにより、手入れの容易な墓石を実現することができる。
【考案を実施するための最良の形態】
【００１８】
以下、本考案の墓石の構造について、実施の形態を図１ないし図９を参照して説明する。
【００１９】
図１は本考案の墓石の正面図、図２はその側面図、図３は墓石の内部、すなわちスラブ石を含むその上の石材を取り外した状態の墓石内部を示す平面図である。図１および図２に示すように、本考案の墓石１は、下から地敷石１０、腰柱２０および腰板３０、スラブ石４０、下台石５０、上台石６０を順次積み上げ、最後に上台石６０の上に塔石（仏石）７０を積み上げて構成されている。上記のうち、塔石７０を除く他の石材はいずれも台石として機能する。
【００２０】
前記地敷石１０は、図１ないし図３に示すように、内部の納骨室Sを囲むように枠状に敷設された前部地敷石１１および後部地敷石１２と左右の側部地敷石１３、１３とから構成されている。
【００２１】
前記腰柱２０は、前記地敷石１０の上の四隅に位置し、より具体的には、左右の側部地敷石１３、１３の前部上面および後部上面に設置されている。また、前記腰板３０は、納骨室Sの側壁を形成する左右の側部腰板３１、３１および後部腰板３２から構成されている。前記側部腰板３１、３１は腰柱２０、２０間であって側部地敷板１３、１３の上面に設置され、前記後部腰板３２は同じく腰柱２０、２０間であって後部地敷板１２の上面に設置されている。
【００２２】
前記側部腰板３１とその両側の腰柱２０、２０間には、図３に示すように両者を係止する係止手段３３が設けられている。この係止手段３３は、側部腰板３１側の凸部３３ａと腰柱２０側の凹部３３ｂとから構成される。なお、凸部３３ａは腰柱２０側、凹部３３ｂは側部腰板３１側に設けてもよい。この係止手段３３によって、墓石の構造がより強固な構造となり、たとえば台風などの風圧が強い状態でも倒壊を防止することができる。
【００２３】
同様に、前記後部腰板３２とその両側の腰柱２０、２０間にも両者を係止する係止手段３４が設けられている。この係止手段３４は、後部腰板３２側の凸部３４ａと腰柱２０側の凹部３４ｂとから構成される。なお、この場合も、凸部３４ａは腰柱２０側、凹部３４ｂは後部腰板３２側に設けてもよい。
【００２４】
前部地敷石１１の上面奥方の左右両側には、隣接する腰柱２０を補助する補助柱２１、２１が設置されている。この補助柱２１、２１間は前方から納骨室Sへの出入り口となる開口部３５とされている。この開口部３５には開閉可能な左右一対の石扉３６、３６が設けられている。同石扉３６、３６は、図４に示すように、上下端面の回動軸３６ａが石扉上部押さえ３７の上下面に貫通する軸受穴３６ｂに、前部地敷石１１の上面の軸受穴３６ｃに、それぞれ軸支されている。後者の軸受穴３６ｃには前部地敷石１１の下面に貫通する水抜き穴３６ｄが連通している。
【００２５】
石扉３６、３６の前方には石扉の開きを防止し閉状態を保持する着脱式のストッパー３８が設置されている。このストッパー３８は、上端部を石扉上部押さえ３７下面の貫通孔（図示せず）に挿入し、下端部の凸部（図示せず）を前部地敷石１１上面の貫通孔（図示せず）に挿入して装着するようになっている。前記石扉上部押さえ３７は左右の補助柱２１、２１の各上面に載置されている。また、石扉３６、３６後方には、納骨室Ｓへの風雨の入り込みや漏水を防ぐ水切り板３９が設けられている。なお、納骨室Ｓの奥方には骨壷等を置く棚板８０が配置され、この棚板８０はその両側の足板８１、８１の上に載置されている。
【００２６】
前記した四隅の腰柱２０、側部腰板３１および後部腰板３２、石扉上部押さえ３７の上には、平板状のスラブ石４０が載置されている。スラブ石４０の上には下台石５０、上台石６０、塔石（仏石）７０が順次積み上げられている。
【００２７】
上記構成の墓石１において、図３および図４に示すように、前部地敷石１１の上面前方の中央部には、前端に向かって下り勾配（θ１＝約２度）となる斜面１１ａが設けられている。また、後部地敷石１２の、後部腰板３２の設置面を除く上面には、後端に向かって下り勾配（約８度）となる斜面１２ａが設けられている。同じく、左右の側部地敷石１３の、腰柱２０および側部腰板３１の設置面を除く上面周囲には、前後および側方に向かって下り勾配（約８度）となる斜面１３ａが設けられている。これら斜面１１ａ、１２ａ、１３ａはいずれも水垂れとして機能する。
【００２８】
四隅の腰柱２０は、それぞれ外方を向く外壁面２０ａに、上端付近から下端付近にかけて上下方向に湾曲しかつ内方へ凹となる湾曲面が形成されている。この腰柱２０、２０間に位置する側部腰板３１、３１は、図１および図９に示すように、それぞれの外壁面３１ａ、３１ａが、その両脇に位置する腰柱２０、２０の湾曲外壁面とほぼ面一となるように、上端付近から下端付近にかけて上下方向に湾曲しかつ内方へ凹となる湾曲面が形成されている。同様に、後部腰板３２の図示しない外壁面についても、その両脇に位置する腰柱２０、２０の外壁面２０ａ（図２参照）の湾曲面とほぼ面一となるように、上端付近から下端付近にかけて上下方向に湾曲しかつ内方へ凹となる湾曲面が形成されている。これらの外壁面２０ａ、３１ａの各湾曲面の上端および下端の各高さ位置は、それぞれほぼ同じ高さに設定され、各湾曲面の曲率半径はいずれも約４００ｍｍとされている。
【００２９】
四隅の各腰柱２０の外壁面２０ａの湾曲面に合わせて、これと外面形状がほぼ一致する、すなわちほぼ面一となる、上端付近から下端付近に至る大きい範囲の湾曲面を、その間の側部腰板３１の外壁面３１ａおよび後部腰板３２の外壁面のそれぞれに設けたから、従来の墓石のような腰柱間の下端に至る凹部の存在がなくなる結果、側部腰板３１の下方および後部腰板３２の下方のそれぞれにゴミ等が付着したり堆積することが防止される。
【００３０】
前記スラブ石４０の、下台石５０設置面を除く上面には側方および後方を向く３面の水垂れが設けられている。この水垂れは、図５に示すように先端に向かって下り勾配（θ２＝約３度）となる斜面４０ａからなる。同じく、前記下台石５０の、上台石６０設置面を除く上面には４面の水垂れが設けられ、この水垂れは、図６に示すように先端に向かって下り勾配（θ３＝約５度）となる斜面５０ａからなる。また、前記上台石６０の、塔石７０設置面を除く上面には４面の水垂れが設けられ、この水垂れは、図７に示すように先端に向かって下り勾配（θ４＝約７度）となる斜面６０ａからなる。
【００３１】
さらに、上記構成の墓石１においては、図３および図４に示すように、前部地敷石１１の斜面１１ａを含む上面と前壁面１１ｂとの間の角部に、その全長にわたり、半径R１＝９ｍｍの丸み１４が付けられている。同じく、図３および図８に示すように、前部地敷石１１の側部上面と左右側壁面１１ｃとの間の角部にも、前端から腰柱２０手前に至るまで、それぞれ半径R１＝９ｍｍの丸み１４が付けられている。これらの丸み１４は、研磨等の手段によって形成することができる。
【００３２】
また、図３に示すように、後部地敷石１２の斜面１２ａと後壁面との間の角部に、その全長にわたり、半径R１＝９ｍｍの丸み１４が付けられ、同じく、左右の側部地敷石１３、１３の斜面１３ａと前後壁面および側壁面のそれぞれとの間の角部に、その全長にわたり、半径R１＝９ｍｍの丸み１４が付けられている。
【００３３】
また、図３および図５に示すように、スラブ石４０の上面の３方向（両側方、後方）の各斜面４０ａと各壁面４０ｂとの間の角部に、また、スラブ石４０の残る前方の上面と前方の壁面４０ｂとの間の角部に、それぞれ、全周にわたり半径Ｒ２＝９ｍｍの丸み４１が付けられている。なお、スラブ石４０の前方側の上面は、図示しない花台を設置するため、勾配のない水平面とされている。同じく、図６に示すように、下台石５０の４方向の斜面５０ａと各壁面５０ｂとの間の角部に、全周にわたり半径Ｒ３＝９ｍｍの丸み５１が付けられている。さらに、図７に示すように、前記上台石６０の上面の４方向の斜面６０ａと各壁面６０ｂとの間の角部にも、全周にわたり半径Ｒ４＝９ｍｍの丸み６１が付けられている。
【００３４】
このように、上記した台石のうち、腰柱２０および腰板３０を除く残りの台石のすべての上面と壁面との間の角部に丸みが付けられる結果、墓石全体として水切れが良く、水垢等の付着を防止することができる。なお、塔石７０の前後壁面を除く両側壁面と上面の間の角部については、それぞれ半径Ｒ５＝３０．３ｍｍの丸みが付けられている。
【００３５】
上記の実施形態では、墓石の角部に所定の半径の丸みを付けたが、墓石の角部に限らず、墓石の付属品の角部にも丸みを適用することもできる。例えば、墓石の付属品である供養台、水鉢・花立、物置き、銘碑、提灯立等の各角部に所定の半径の丸みを付けることができる。
【図面の簡単な説明】
【００３６】
【図１】本考案の墓石の設置状態を示す正面図、
【図２】本考案の墓石の設置状態を示す側面図、
【図３】本考案の墓石の内部状態を示す平面図、
【図４】本考案の墓石の前部地敷石を示す縦断面図、
【図５】本考案の墓石のスラブ石の要部を示す拡大断面図、
【図６】本考案の墓石の下台石の要部を示す拡大断面図、
【図７】本考案の墓石の上台石の要部を示す拡大断面図、
【図８】本考案の墓石の前部地敷石を示す横断面図、
【図９】本考案の墓石の腰板を示す要部斜視図である。
【符号の説明】
【００３７】
１  墓石
１０  地敷石
１１  前部地敷石
１１ａ、１２ａ、１３ａ、４０ａ、５０ａ、６０ａ  斜面
１１ｂ  前壁面
１１ｃ  左右側壁面
１２  後部地敷石
１３  側部地敷石
１４、４１、５１、６１  丸み
２０  腰柱
２０ａ、３１ａ  外壁面
２１  補助柱
３０  腰板
３１  側部腰板
３２  後部腰板
３３、３４  係止手段
３３ａ、３４ａ  凸部
３３ｂ、３４ｂ  凹部
３５  開口部
３６  石扉
３６ａ  回動軸
３６ｂ、３６ｃ  軸受穴
３６ｄ  水抜き穴
３７  石扉上部押さえ
３８  ストッパー
３９  水切り板
４０  スラブ石
４０ｂ、５０ｂ、６０ｂ  壁面
５０  下台石
６０  上台石
７０  塔石
８０  棚板
８１  足板
Ｓ  納骨室
【図１】
0003108741.tif 000003
【図２】
0003108741.tif 000004
【図３】
0003108741.tif 000005
【図４】
0003108741.tif 000006
【図５】
0003108741.tif 000007
【図６】
0003108741.tif 000008
【図７】
0003108741.tif 000009
【図８】
0003108741.tif 000010
【図９】
0003108741.tif 000011